(57)【要約】【課題】端子収容室内に収容された端子が振動によって接続信頼性が低下することを防ぐことができるコネクタを提供すること。【解決手段】コネクタハウジング１０の端子収容室１２に連通された開口１１ｂを通してコネクタハウジング１０に端子収容室１２への端子４０の挿入方向に直交する方向で装着され、端子収容室１２に収容された端子４０を端子４０の挿入方向Ｄ１とは逆方向への移動を阻止するように係止し、かつ、コネクタハウジング１０への装着方向Ｄ２で押圧することによって端子収容室１２の内壁面１２ｃに押し当てる弾性係止片３０を備えた端子係止部材２０を有する。【選択図】図３
2019057452.tif 000002
【特許請求の範囲】
【請求項１】
コネクタハウジングの端子収容室に連通された開口を通して前記コネクタハウジングに前記端子収容室への端子の挿入方向に直交する方向で装着され、前記端子収容室に収容された前記端子を該端子の挿入方向とは逆方向への移動を阻止するように係止し、かつ、前記コネクタハウジングへの装着方向で押圧することによって前記端子収容室の内壁面に押し当てる弾性係止片を備えた端子係止部材
を有することを特徴とするコネクタ。
【請求項２】
前記端子係止部材は、
前記装着方向で仮係止位置と、前記仮係止位置に比して前記弾性係止片が前記開口を通して前記端子収容室の内方に配置される本係止位置との間で移動可能に前記コネクタハウジングに係止され、
前記仮係止位置に係止された状態で、前記端子が、前記弾性係止片を撓み変形させることによって前記弾性係止片をのり越えて前記端子収容室に挿入完了され、かつ、撓み変形された状態から復元された前記弾性係止片によって挿入方向とは逆方向への移動を阻止された状態で係止され、
前記本係止位置に係止された状態で、前記端子収容室に前記弾性係止片によって挿入方向での移動を阻止された状態で係止された前記端子を前記弾性係止片によって前記端子収容室の内壁面に押し当てる
ことを特徴とする請求項１に記載のコネクタ。
【発明の詳細な説明】
【技術分野】
【０００１】
本発明は、コネクタハウジングの端子収容室内に弾性係止片によって端子を係止するコネクタに関する。
【背景技術】
【０００２】
従来、コネクタは、コネクタハウジングの端子収容室内に設けられた弾性係止片によって端子を端子収容室内に係止するようになっている。
【０００３】
例えば、特許文献１には、コネクタハウジングとは別体の端子係止具に弾性係止片を設け、コネクタハウジングに端子係止具を装着することによって、弾性係止片を端子収容室内に深く侵入させて弾性係止片と端子との掛かり代が大きくするようにしたコネクタが記載されている。
【先行技術文献】
【特許文献】
【０００４】
【特許文献１】特開平９−２４５８６９号公報
【発明の概要】
【発明が解決しようとする課題】
【０００５】
しかしながら、特許文献１に記載されたコネクタは、弾性係止片によって端子収容室への端子の挿入方向でのガタツキは抑えることができるが、端子の挿入方向に直交する方向でのガタツキを抑えることが難しく、端子が挿入方向に直交する方向で振動した場合、端子と相手接続端子との接点が摺動摩耗によって、接続信頼性が低下してしまう問題があった。
【０００６】
本発明は、上記に鑑みてなされたものであって、端子収容室内に収容された端子が振動によって接続信頼性が低下することを防ぐことができるコネクタを提供することを目的とする。
【課題を解決するための手段】
【０００７】
上述した課題を解決し、目的を達成するために、本発明の請求項１に係るコネクタは、コネクタハウジングの端子収容室に連通された開口を通して前記コネクタハウジングに前記端子収容室への端子の挿入方向に直交する方向で装着され、前記端子収容室に収容された前記端子を該端子の挿入方向とは逆方向への移動を阻止するように係止し、かつ、前記コネクタハウジングへの装着方向で押圧することによって前記端子収容室の内壁面に押し当てる弾性係止片を備えた端子係止部材を有することを特徴とする。
【０００８】
また、本発明の請求項２に係るコネクタは、上記の発明において、前記端子係止部材は、前記装着方向で仮係止位置と、前記仮係止位置に比して前記弾性係止片が前記開口を通して前記端子収容室の内方に配置される本係止位置との間で移動可能に前記コネクタハウジングに係止され、前記仮係止位置に係止された状態で、前記端子が、前記弾性係止片を撓み変形させることによって前記弾性係止片をのり越えて前記端子収容室に挿入完了され、かつ、撓み変形された状態から復元された前記弾性係止片によって挿入方向とは逆方向への移動を阻止された状態で係止され、前記本係止位置に係止された状態で、前記端子収容室に前記弾性係止片によって挿入方向での移動を阻止された状態で係止された前記端子を前記弾性係止片によって前記端子収容室の内壁面に押し当てることを特徴とする。
【発明の効果】
【０００９】
本発明に係るコネクタは、前記端子係止部材がコネクタハウジングの端子収容室に連通された開口を通して前記コネクタハウジングに前記端子収容室への端子の挿入方向に直交する方向で装着されることによって、前記弾性係止片が前記端子収容室に収容された前記端子を該端子の挿入方向とは逆方向への移動を阻止するように係止し、かつ、前記コネクタハウジングへの装着方向で押圧することによって、前記端子の挿入方向および挿入方向に直交する方向での前記端子の振動を抑えることができる。
従って、本発明に係るコネクタは、前記端子と相手接続端子との接点の摺動摩耗を防ぐことができるので、端子収容室内に収容された端子が振動によって接続信頼性が低下することを防ぐことができる。
【図面の簡単な説明】
【００１０】
【図１】図１は、本発明の実施例に係るコネクタのコネクタハウジングに端子係止部材を装着する前の状態を示した分解斜視図である。
【図２】図２は、図１に示した端子係止部材の拡大図である。
【図３】図３は、コネクタの断面図である。
【図４】図４は、コネクタハウジングの断面図である。
【図５】図５は、（ａ）が端子係止部材を仮係止位置に配置した状態で、端子を端子収容室に挿入する様子を示した図であり、（ｂ）が（ａ）の状態から端子が弾性係止片をのり越えて端子収容室に挿入完了された状態を示した図であり、（ｃ）が（ｂ）の状態から端子係止部材を本係止位置に配置した状態を示した図である。
【発明を実施するための形態】
【００１１】
以下、図面を参照して、本発明に係るコネクタの好適な実施例を詳細に説明する。
【実施例】
【００１２】
図１は、本発明の実施例に係るコネクタ１のコネクタハウジング１０に端子係止部材２０を装着する前の状態を示した分解斜視図である。図２は、図１に示した端子係止部材２０の拡大図である。図３は、コネクタ１の断面図である。図４は、コネクタハウジング１０の断面図である。
本発明の実施例に係るコネクタ１は、車載用のコネクタであり、コネクタハウジング１０と、コネクタハウジング１０の複数の端子収容室１２に収容された複数の端子４０と、複数の端子４０を対応する各端子収容室１２内に係止する端子係止部材２０と、を有する。
【００１３】
まず、端子４０について説明する。
端子４０は、図３に示すように、電線５０の端末部に取付けられており、接続相手端子との接続部分となる相手端子接続部４１と、電線５０に取り付けられる部分となる電線接続部４２と、相手端子接続部４１と、電線接続部４２との間を連結する連結部４５と、を有する雌型の端子である。
【００１４】
相手端子接続部４１は、雄型の接続相手端子が挿入される先端面に開口を有する箱型をなし、内部に弾性を利用して接続相手端子に接続される接点バネ４１ａが設けられている。
【００１５】
電線接続部４２は、電線５０の先端部の絶縁被覆５２が除去されて露出された導体部５１に加締められる導体加締め部４３と、導体部５１が絶縁被覆５２によって包囲された部分に加締められる被覆加締め部４４と、を有する。
【００１６】
導体加締め部４３、および、被覆加締め部４４は、底壁４３ａ、４４ａと、底壁４３ａ、４４ａの両端縁に繋がる一対の加締め片４３ｂ、４４ｂと、を有し、底壁４３ａ、４４ａに導体部５１、あるいは、絶縁被覆５２によって包囲された部分を載置した状態でそれぞれの一対の加締め片４３ｂ、４４ｂを治具を用いて加締めることによって、端子４０を電線５０の端末部に固定するようになっている。
【００１７】
連結部４５は、底壁４５ａと、底壁４５ａの両端縁に立設された一対の側壁４５ｂと、を有し、底壁４５ａに向かい合う部分が弾性係止片３０によって係止される係止孔４６になっている。
係止孔４６は、端子収容室１２に挿入完了された端子４０に端子収容室１２への挿入方向Ｄ１とは逆方向に外力が負荷された場合に、前端縁面４６ａが弾性係止片３０の先端部に形成された段状部分の凹部３１ｂに引っ掛かるようになっている。
【００１８】
なお、端子４０は、相手端子接続部４１、電線接続部４２、および、連結部４５の底壁４１ｂ、４３ａ、４４ａ、４５ａが直線状に連続した壁になっている。
【００１９】
次に、コネクタハウジング１０について説明する。
コネクタハウジング１０は、絶縁性の樹脂材からなり、略直方体のブロック状をなすハウジング本体部１１の長手方向に複数の端子収容室１２が並んで設けられている。
【００２０】
ハウジング本体部１１は、上面の長手方向の略中央位置に不図示の接続相手コネクタとの嵌合状態を固定するためのロックアーム１１ａが設けられている。
【００２１】
端子収容室１２は、ハウジング本体部１１の後端面に形成された端子挿入口１２ａから前端面に形成された接続相手端子が挿入される相手端子挿入口１２ｂまで貫通された空間を形成する壁によって囲われている。
【００２２】
また、ハウジング本体部１１は、図４に示すように、下面に端子係止部材２０を装着する開口１１ｂが各端子収容室１２に連通するように設けられている。
【００２３】
また、端子収容室１２は、端子係止部材２０の弾性係止片３０によって端子４０が押し当てられる内壁面である上面１２ｃが間に端子係止部材２０が装着される部分となる開口１１ｂを挟んで端子挿入口１２ａから相手端子挿入口１２ｂまで直線状に形成されている。
【００２４】
次に、端子係止部材２０について説明する。
端子係止部材２０は、コネクタハウジング１０の端子収容室１２に連通された開口１１ｂを通してコネクタハウジング１０に端子収容室１２への端子４０の挿入方向Ｄ１に直交する方向で装着され、端子収容室１２に収容された端子４０を端子４０の挿入方向Ｄ１とは逆方向への移動を阻止するように係止し、かつ、コネクタハウジング１０への装着方向Ｄ２で押圧することによって端子収容室１２の内壁面１２ｃに押し当てる複数の弾性係止片３０を備える。
【００２５】
この端子係止部材２０は、絶縁性の樹脂材からなり、略直方体のブロック状をなす部材本体部２１の長手方向にコネクタハウジング１０に設けられた複数の端子収容室１２に対応して複数の弾性係止片３０が並んで設けられている。
【００２６】
弾性係止片３０は、図３に示すように、アーム部３１の基端部３１ａが部材本体部２１の底壁２１ａの後端部側に位置し、アーム部３１が底壁２１ａの前端部側に向けて基端部３１ａから上り傾斜状に傾いて設けられている。
この弾性係止片３０は、部材本体部２１の底壁２１ａとアーム部３１の間の空間がアーム部３１が撓み変形されるための撓み空間Ｓになっている。
【００２７】
また、弾性係止片３０は、端子係止部材２０がコネクタハウジング１０に装着完了された状態で、端子４０に挿入方向Ｄ１とは逆方向への外力が負荷された場合、アーム部３１の先端部に形成された段状部分の凹部３１ｂに係止孔４６の前端縁面４６ａに引っ掛かるようになっている。
【００２８】
また、弾性係止片３０は、端子係止部材２０がコネクタハウジング１０に装着完了された状態で、端子収容室１２に収容され端子４０をコネクタハウジング１０への装着方向Ｄ２で押圧することによって、端子４０を端子収容室１２の上面１２ｃに押し当てている。
【００２９】
このような端子係止部材２０は、不図示の係止機構によって、コネクタハウジング１０への装着方向Ｄ２で仮係止位置Ｐ１と、仮係止位置Ｐ１に比して複数の弾性係止片３０が開口１１ｂを通して対応する複数の端子収容室１２の内方に配置される本係止位置Ｐ２との間で移動可能にコネクタハウジング１０に係止されるようになっている。
【００３０】
端子係止部材２０は、仮係止位置Ｐ１に係止された状態で、端子４０が、弾性係止片３０を撓み変形させることによって、弾性係止片３０をのり越えて端子収容室１２に挿入完了され、かつ、撓み変形された状態から復元された弾性係止片３０によって挿入方向Ｄ１とは逆方向への移動を阻止された状態で係止されるようになっている。
【００３１】
また、端子係止部材２０は、本係止位置Ｐ２に係止された状態で、弾性係止片３０によって挿入方向とは逆方向への移動を阻止された状態で端子収容室１２内に係止された端子４０を弾性係止片３０によって端子収容室１２の上面１２ｃに押し当てるようになっている。
【００３２】
より具体的には、端子係止部材２０は、本係止位置Ｐ２に係止された状態で、弾性係止片３０の先端部に形成された段状部分の凹部３１ｂが端子４０の係止孔４６の前端縁面４６ａと掛かり代を確保しつつ、弾性係止片３０の先端部が端子４０の挿入方向に直交する方向で端子４０の連結部４５に当接されることによって端子４０を端子収容室１２の上面１２ｃに押し当てている。
【００３３】
なお、端子係止部材２０が本係止位置Ｐ２に係止された状態では、弾性係止片３０が端子４０に当接された反力を受けて撓み空間Ｓに撓んだ状態になっているため、弾性的に復元する力が端子４０を端子収容室１２の上面１２ｃに押し当てる力として作用し続けるようになっている。
【００３４】
次に、図５を用いて、端子係止部材２０をコネクタハウジング１０に装着する手順および各部の動作について説明する。
図５は、（ａ）が端子係止部材２０を仮係止位置Ｐ１に配置した状態で、端子４０を端子収容室１２に挿入する様子を示した図であり、（ｂ）が（ａ）の状態から端子４０が弾性係止片３０をのり越えて端子収容室１２に挿入完了された状態を示した図であり、（ｃ）が（ｂ）の状態から端子係止部材２０を本係止位置Ｐ２に配置した状態を示した図である。
【００３５】
まず、作業者は、端子係止部材２０を仮係止位置Ｐ１に配置した状態で、端子４０を端子収容室１２に挿入する（図５（ａ）参照）。
端子係止部材２０が仮係止位置Ｐ１に配置されている状態では、本係止位置Ｐ２に配置されている状態に比べて弾性係止片３０が端子収容室１２への挿入方向Ｄ１で移動される端子４０に干渉する部分が少ないため、端子４０は、弾性係止片３０の撓み量を小さく抑えて弾性係止片３０をのり越えることができる。
このため、端子４０を端子収容室１２に挿入する際にかかる端子４０の挿入抵抗を小さく抑えることができる。
【００３６】
作業者は、弾性係止片３０をのり越えた端子収容室１２の挿入完了位置まで端子４０を押し込む（図５（ｂ）参照）。
端子４０が端子収容室１２の挿入完了位置に配置された状態では、弾性係止片３０の先端部が端子４０の係止孔４６に配置され、弾性係止片３０が弾性的に復元された状態になる。
このため、端子４０に挿入方向Ｄ１とは逆方向への外力が負荷された場合、アーム部３１の先端部に形成された段状部分の凹部３１ｂに係止孔４６の前端縁面４６ａが引っ掛かり、端子４０が挿入方向Ｄ１とは逆方向へ移動されることが阻止される。
【００３７】
最後に、作業者は、端子係止部材２０を本係止位置Ｐ１に配置することによって、端子係止部材２０をコネクタハウジング１０に装着完了する（図５（ｃ）参照）。
このように、端子係止部材２０が本係止位置Ｐ２に配置されると、弾性係止片３０の先端部に形成された段状部分の凹部３１ｂが端子４０の係止孔４６の前端縁面４６ａと掛かり代を確保しつつ、弾性係止片３０の先端部が端子４０の挿入方向Ｄ１に直交する方向で端子４０の連結部４５に当接されることによって端子４０を端子収容室１２の上面１２ｃに押し当てた状態になる。
【００３８】
本発明の実施例に係るコネクタ１は、端子係止部材２０がコネクタハウジング１０の端子収容室１２に連通された開口１１ｂを通してコネクタハウジング１０に端子収容室１２への端子４０の挿入方向Ｄ１に直交する方向で装着されることによって、弾性係止片３０が端子収容室１２に収容された端子４０を端子４０の挿入方向Ｄ１とは逆方向への移動を阻止するように係止し、かつ、コネクタハウジング１０への装着方向Ｄ２で押圧することによって、端子４０の挿入方向Ｄ１および挿入方向に直交する方向Ｄ２での端子４０の振動を抑えることができる。
従って、本発明に係るコネクタ１は、端子４０と相手接続端子との接点の摺動摩耗を防ぐことができるので、端子収容室１２内に収容された端子４０が振動によって接続信頼性が低下することを防ぐことができる。
【００３９】
また、本発明の実施例に係るコネクタ１は、端子係止部材２０が、装着方向Ｄ２で仮係止位置Ｐ１と、仮係止位置Ｐ１に比して弾性係止片が３０開口１１ｂを通して端子収容室１２の内方に配置される本係止位置Ｐ２との間で移動可能にコネクタハウジング１０に係止されるので、端子係止部材２０が仮係止位置Ｐ１に配置された状態では、本係止位置Ｐ２に配置されている状態に比べて弾性係止片３０が端子収容室１２への挿入方向Ｄ１で移動される端子４０に干渉する部分が少ないため、端子４０は、弾性係止片３０の撓み量を小さく抑えて弾性係止片３０をのり越えることができる。
また、端子係止部材２０が仮係止位置Ｐ１から本係止位置Ｐ２に移動配置される際、弾性係止片３０によって端子４０が挿入方向Ｄ１とは逆方向へ移動されることが阻止された状態になっているため、端子収容室１２の挿入完了位置に配置した状態で端子４０を弾性係止片３０によって端子収容室１２の上面１２ｃに容易に押し当てることができる。
【００４０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４１】
１      コネクタ
１０    コネクタハウジング
１１    ハウジング本体部
１１ａ  ロックアーム
１１ｂ  開口
１２    端子収容室
１２ａ  端子挿入口
１２ｂ  相手端子挿入口
１２ｃ  上面（内壁面）
２０    端子係止部材
２１    部材本体部
２１ａ  底壁
３０    弾性係止片
３１    アーム部
３１ａ  基端部
３１ｂ  凹部
４０    端子
４１    相手端子接続部
４１ａ  接点バネ
４１ｂ  底壁
４２    電線接続部
４３    導体加締め部
４４    被覆加締め部
４３ａ、４４ａ  底壁
４３ｂ、４４ｂ  加締め片
４５    連結部
４５ａ  底壁
４５ｂ  側壁
４６    係止孔
４６ａ  前端縁面
５０    電線
５１    導体部
５２    絶縁被覆
Ｓ      撓み空間
Ｐ１    仮係止位置
Ｐ２    本係止位置
【図１】
2019057452.tif 000003
【図２】
2019057452.tif 000004
【図３】
2019057452.tif 000005
【図４】
2019057452.tif 000006
【図５】
2019057452.tif 000007